(57)【要約】【課題】表示操作部４を操作して取引を行う自動取引装置１において、利用者の衣服等の袖がタッチパネルに触れるなどして、利用者が意図しないボタンを押してしまわないようにする。【解決手段】表示操作部４は、フォトセンサを内蔵した液晶パネル上にタッチパネルを積層して成し、前記タッチパネルを指により押下したときの前記フォトセンサにて取得した画像の特徴を格納する特徴データ格納部３１と、前記フォトセンサにより取得する画像の特徴と前記特徴データ格納部３１に格納した特徴データをマッチングし、取得した画像が指による押下の際の画像であるか否かを識別する画像認識部３０と、を備え、前記画像認識部３０により、前記タッチパネルが押下された時に取得した画像が指による押下の画像ではないと判定したときは、前記タッチパネルの押下を無効とするようにした。【選択図】図４
2011118708.tif 000002
【特許請求の範囲】
【請求項１】
表示操作部の操作により所望の取引を行う自動取引装置において、
前記表示操作部は、フォトセンサを内蔵した液晶パネル上にタッチパネルを積層して成し、
前記タッチパネルを指により押下した時の前記フォトセンサにて取得した画像の特徴を格納する特徴データ格納手段と、
前記特徴データ格納部に格納した特徴データに基づいて、前記取得した画像が前記タッチパネルを指により押下した時の画像であるか否かを識別する認識手段と、を備え、
前記認識手段により、前記タッチパネルが押下された時に取得した画像が指による押下の画像ではないと判定したときは、前記タッチパネルの押下を無効とするようにしたことを特徴とする自動取引装置。
【請求項２】
前記認識手段は、前記フォトセンサにより取得した画像の大きさが時間経過とともに徐々に増加しているか否かの識別が可能な認識手段であって、
前記認識手段により、前記タッチパネルが押下された時に取得した画像が指による押下の画像であって、当該押下の画像の大きさが時間経過とともに徐々に増加していると判定したとき以外は、前記タッチパネルの押下を無効とするようにしたことを特徴とする請求項１記載の自動取引装置。
【発明の詳細な説明】
【技術分野】
【０００１】
本発明は、現金自動預払機等の自動取引装置における誤操作防止技術に関するものである。
【背景技術】
【０００２】
一般に、現金自動預払機等の自動取引装置の操作は、液晶表示装置の上に透明なタッチパネルを積層し、液晶表示装置に表示されるガイダンスやボタン等を見てこのタッチパネルに触れることにより操作できるようになっている（例えば、特許文献１参照。）。
【先行技術文献】
【特許文献】
【０００３】
【特許文献１】特開２００５−２４２６３８号公報
【発明の概要】
【発明が解決しようとする課題】
【０００４】
しかしながら、従来の自動取引装置では、利用者の衣服等の袖が表示操作部のタッチパネルに触れるなどしても押下したものとして検知され、その結果、利用者が意図しないボタンを押してしまうという問題があった。
【課題を解決するための手段】
【０００５】
本発明は、前述の課題を解決するため次の構成を採用する。すなわち、表示操作部の操作により所望の取引を行う自動取引装置において、前記表示操作部は、フォトセンサを内蔵した液晶パネル上にタッチパネルを積層して成し、前記タッチパネルを指により押下した時の前記フォトセンサにて取得した画像の特徴を格納する特徴データ格納手段と、前記特徴データ格納部に格納した特徴データに基づいて、前記取得した画像が前記タッチパネルを指により押下した時の画像であるか否かを識別する認識手段と、を備え、前記認識手段により、前記タッチパネルが押下された時に取得した画像が指による押下の画像ではないと判定したときは、前記タッチパネルの押下を無効とするようにした。
【発明の効果】
【０００６】
本発明の自動取引装置によれば、表示操作部の操作により所望の取引を行う自動取引装置において、前記表示操作部は、フォトセンサを内蔵した液晶パネル上にタッチパネルを積層して成し、前記タッチパネルを指により押下した時の前記フォトセンサにて取得した画像の特徴を格納する特徴データ格納手段と、前記特徴データ格納部に格納した特徴データに基づいて、前記取得した画像が前記タッチパネルを指により押下した時の画像であるか否かを識別する認識手段と、を備え、前記認識手段により、前記タッチパネルが押下された時に取得した画像が指による押下の画像ではないと判定したときは、前記タッチパネルの押下を無効とするようにしたので、利用者の誤操作を確実に防止することができる。
【図面の簡単な説明】
【０００７】
【図１】実施例１の自動取引装置の概観斜視図である。
【図２】実施例１の自動取引装置の表示操作部の構成図（斜視図）である。
【図３】実施例１の自動取引装置の表示操作部の構成図（断面図）である。
【図４】実施例１の自動取引装置の制御系ブロック図である。
【図５】実施例１の自動取引装置の動作フローチャート図である。
【図６】実施例１の自動取引装置の動作説明図である。
【図７】実施例２の自動取引装置の動作フローチャート図である。
【図８】実施例２の自動取引装置の動作説明図である。
【発明を実施するための形態】
【０００８】
以下、本発明に係わる実施の形態例を、図面を用いて説明する。図面に共通する要素には同一の符号を付す。なお、以下の説明では、現金自動預払機を例として説明するが、切符、定期等の発券機などの自動券売機などの自動取引装置にも本発明を容易に適用することができる。
【実施例１】
【０００９】
（構成）
（自動取引装置の外観構成）
実施例１の自動取引装置１は、図１のような外観をしており、硬貨入出金口２、紙幣入出金口３、表示操作部として機能する表示操作部４、通帳挿入口５、カード挿入口６を備えている。
【００１０】
紙幣入出金口３は、紙幣が投入されるとともに、これらが排出される開口部である。紙幣入出金口３には、シャッタが設けられシャッタが駆動されることにより紙幣入出金口３が開閉される。
【００１１】
カード挿入口６は、カードを用いて取引を行う場合、当該カードがここから挿入され、取引が終了するとここから排出される。通帳挿入口５は、取引で使用される通帳がここから挿入され、取引が終了するとここから排出される。また、硬貨入出金口２は、硬貨が投入または排出される開口部である。
【００１２】
紙幣入出金口３は、入金紙幣が投入されるとともに、出金紙幣が排出される部分で、その奥部には、図示していないが後述の紙幣の入出金処理を行う紙幣処理部２６が設けられている。カード挿入口６は、カードが挿入または排出される部分で、その奥部には、図示していないが後述のカード処理部２１が設けられている。
【００１３】
硬貨入出金口２は、入金硬貨が投入されるとともに、出金硬貨が排出される部分で、その奥部には、図示しないが、硬貨の入出金処理を行う後述の硬貨処理部２５が設けられている。通帳挿入出口５は、通帳が挿入または排出される部分で、その奥部には、図示していないが後述の通帳処理部２３が設けられている。
【００１４】
表示および操作部として機能する表示操作部４は、図２、図３の後述記載の構成となっており、顧客の操作により各種の入力を行なうとともに、操作ガイダンス等が表示される。
【００１５】
表示操作部４は、図２の斜視図および図３の断面図に示したような構造となっており、通常の液晶パネル部分としての、バックライト１２０、バックライト１２０の上面および表面に設けられた偏向板１２１および１２５、各画素との電気的接続回路として機能するアレイ基板１２２、各画素のカラーフィルタとして機能するカラーフィルタ基板１２４とからなる。また、偏向板１２５の上にはタッチパネル層１２６が設けられ、タッチパネル４０として機能するようになっている。
【００１６】
そして、フォトセンサ内蔵型としての液晶層は、図２右側に示したように液晶の画素（赤）１０１ｒ、画素（緑）１０１ｇ、画素（青）１０１ｂに加えて、フォトセンサ素子１００ａがそれぞれの画素に設けられた構成となっており、表示機能とともにスキャナーとしての機能をも有する構成となっている。
【００１７】
そして、これらの液晶画素およびフォトセンサ素子が、それぞれフォトセンサ駆動回路１００、液晶駆動回路１０１により駆動されて、液晶表示およびフォトセンサが動作するようになっている。
【００１８】
（自動取引装置の内部構成）
実施例１の自動取引装置の内部は、図４に示したように、後述する各部の制御を行う主制御部２０と、前述の表示操作部として機能する表示操作部４と、キャッシュカード等に記録された情報のリードライトを行うカード処理部２１と、音声やブザーによりガイダンスを出力する音声案内部２２と、通帳の磁気ストライプのリードライトおよび通帳への印字制御を行う通帳処理部２３と、取引内容の明細票を印字して出力する明細票処理部２４と、図示しない硬貨入出金金庫や硬貨装填庫を備え硬貨の入出金制御を行う硬貨処理部２５と、図示しない紙幣入出金金庫や紙幣装填庫を備え紙幣の入出金制御を行う紙幣処理部２６と、からなる。
【００１９】
さらに、各部に電源を供給する電源部２７、主制御部２０の記憶部として機能し、プログラムや表示操作部４に表示するテストパタンを記憶するメモリ部２８と、図示しないホストコンピュータとのインタフェイスを制御するインタフェイス部２９を有する。また、主制御部２０の制御に基づき表示操作部４のフォトセンサにて取得した画像の画像認識を行う画像認識部３０と、画像認識の際に用いる特徴データ等を格納する特徴データ格納部３１が主制御部２０に接続された構成となっている。
【００２０】
なお、特徴データ格納部３１に格納する特徴データは、指によるタッチパネル４０の押下を検出した時にフォトセンサにより取得した画像から、例えば光学的文字読取技術等で一般に用いられるパタンの２値化や輪郭抽出などの技術を用いて特徴を抽出し格納しておけばよい。
【００２１】
（動作）
以上の構成により実施例１の自動取引装置は以下のように動作する。この動作を、図５の動作フローチャート図および図６の動作説明図を用いて詳細に説明する。
【００２２】
まず、利用者が自動取引装置１に接近すると、取引選択画面として選択ボタンなどを表示操作部４に表示する（ステップＳ０１）。
【００２３】
そして、利用者が所望の取引の選択ボタンを押下すると、タッチパネル４０により当該選択ボタンに触れたことを検知する（ステップＳ０２）。
【００２４】
すると、表示操作部４のフォトセンサにより、スキャン画像４１を読み取り（ステップＳ０３）、読み取った画像の特徴と特徴データ格納部３１に格納されている特徴データのマッチングにより、図６に示したような利用者の指４２で押下した画像、すなわち所定の範囲の大きさの楕円状の画像であるかどうかを画像認識部３０により識別する（ステップＳ０４）。
【００２５】
そして、スキャン画像４１が所定の範囲の大きさの楕円状の画像ではなく、指の押下ではないと判定したときは（ステップＳ０５）、衣服の袖などで誤ってボタンが押下されたとしてタッチパネルの押下を無効として（ステップＳ０６）、本処理を終了する。
【００２６】
一方、画像認識部３０にて指の押下であると判定したときは（ステップＳ０５）、タッチパネルの押下を有効のままとして、本処理を終了する。
【００２７】
（実施例１の効果）
以上詳細に述べたように実施例１の自動取引装置によれば、表示操作部の操作により所望の取引を行う自動取引装置において、前記表示操作部は、フォトセンサを内蔵した液晶パネル上にタッチパネルを積層して成し、前記タッチパネルを指により押下した時の前記フォトセンサにて取得した画像の特徴を格納する特徴データ格納手段と、前記特徴データ格納部に格納した特徴データに基づいて、前記取得した画像が前記タッチパネルを指により押下した時の画像であるか否かを識別する認識手段と、を備え、前記認識手段により、前記タッチパネルが押下された時に取得した画像が指による押下の画像ではないと判定したときは、前記タッチパネルの押下を無効とするようにしたので、利用者の誤操作を確実に防止することができる。
【実施例２】
【００２８】
（構成）
実施例２の自動取引装置の外観構成、内部構成および表示操作部の構成は、実施例１の構成と同様であるので、簡略化のためにその詳細な説明は省略する。
【００２９】
（動作）
以上の構成により実施例２の自動取引装置は以下のように動作する。この動作を、図７の動作フローチャート図および図８の動作説明図を用いて詳細に説明する。
【００３０】
まず、利用者が自動取引装置１に接近すると、取引選択画面として選択ボタンなどを表示操作部４に表示する（ステップＳ１１）。
【００３１】
次に、利用者が所望の取引の選択ボタンを押下すると、タッチパネル４０により当該選択ボタンに触れたことを検知する（ステップＳ１２）。
【００３２】
すると、表示操作部４のフォトセンサにより、スキャン画像４１を読み取り（ステップＳ１３）、読み取った画像の特徴と特徴データ格納部３１に格納されている特徴データのマッチングにより、図８に示したような利用者の指４２で押下したスキャン画像４１の４１ａ〜４１ｃのいずれか、すなわち所定の範囲の大きさの楕円状の画像であるかどうかを画像認識部３０により識別する（ステップＳ１４）。
【００３３】
そして、所定の範囲の大きさの楕円状の画像ではなく、指の押下ではないと判定したときは（ステップＳ１５）、衣服の袖などで誤ってボタンが押下されたとしてタッチパネルの押下を無効として（ステップＳ１６）、本処理を終了する。
【００３４】
一方、ステップＳ１５にて画像認識部３０にて指の押下であると判定したときは、図８に示したようにスキャン画像４１が４１ａ、４１ｂ、４１ｃのように、徐々に大きくなっているかどうかを画像認識部３０にて判定し（ステップＳ１７）、徐々に大きくなっているときはタッチパネル４０を指で押下したものと判定し、タッチパネル４０の押下を有効のままとして、本処理を終了する。
【００３５】
（実施例２の効果）
以上詳細に述べたように実施例２の自動取引装置によれば、認識手段を、前記フォトセンサにより取得した画像の大きさが時間経過とともに徐々に増加しているか否かの識別も可能な認識手段とし、前記認識手段により、前記タッチパネルが押下された時に取得した画像が指による押下の画像であって、当該押下の画像の大きさが時間経過とともに徐々に増加していると判定したときを以外は、前記タッチパネルの押下を無効とするようにしたので、さらに確実に利用者の誤操作を防止することができる。
【産業上の利用可能性】
【００３６】
以上述べたように、本発明は、表示操作部を有する現金自動預払機等の自動取引装置に広く利用することができる。
【符号の説明】
【００３７】
１    自動取引装置
４    表示操作部
２０  主制御部
２２  音声案内部
３０  画像認識部
３１  特徴データ格納部
４０  タッチパネル
４１  スキャン画像
１００ａ  フォトセンサ素子
１０１ｒ、１０１ｇ、１０１ｂ  液晶画素
１２６  タッチパネル層
【図１】
2011118708.tif 000003
【図２】
2011118708.tif 000004
【図３】
2011118708.tif 000005
【図４】
2011118708.tif 000006
【図５】
2011118708.tif 000007
【図６】
2011118708.tif 000008
【図７】
2011118708.tif 000009
【図８】
2011118708.tif 000010